(57)【要約】【課題】プラスチック製容器を用いた油脂の保存方法であって、長期間保存しても保存期間中に容器内部が陰圧になることを防ぎ、容器の収縮・変形を抑制し、かつ、開栓時の油ハネを抑制し、更に、油脂の風味を良好なまま保存することができる油脂の保存方法を提供する。また、上記に加え、開栓後においても油脂の風味を良好なまま保存することができる油脂の保存方法を提供する。また、上記保存方法により保存されたプラスチック製容器充填油脂を提供する。【解決手段】油脂を充填したプラスチック製容器のヘッドスペース内に不活性ガスを充填した後、当該容器を密封することにより油脂を保存する。また、プラスチック製容器は、蓋部と油脂注ぎ口部とを有するキャップを備え、蓋部と油脂注ぎ口部は、容器が開栓されて油脂注ぎ口部から油脂が排出された後に、油脂注ぎ口の蓋部との接触部分に付着した油脂によって蓋部を閉めた時に密閉状態が保たれる構造である。【選択図】なし【特許請求の範囲】
【請求項１】
プラスチック製容器を用いた油脂の保存方法であって、油脂を充填した前記容器のヘッドスペース内に不活性ガスを充填した後、前記容器を密封することを特徴とする油脂の保存方法。
【請求項２】
前記不活性ガスは、前記容器のヘッドスペース内の酸素濃度が５容量％以下になるように充填されることを特徴とする請求項１に記載の油脂の保存方法。
【請求項３】
前記不活性ガスは、アルゴンガス、ヘリウムガス、窒素ガス及び炭酸ガスから選ばれる１種以上であることを特徴とする請求項１又は請求項２に記載の油脂の保存方法。
【請求項４】
前記容器は、ブロー成形したプラスチック製容器であり、前記ヘッドスペースの容器断面径が前記油脂の充填された部分の容器断面径よりも小であるであることを特徴とする請求項１〜３のいずれか１項に記載の油脂の保存方法。
【請求項５】
前記容器は、蓋部と油脂注ぎ口部とを有するキャップを備えており、前記蓋部と前記油脂注ぎ口部は、前記容器が開栓されて前記油脂注ぎ口部から前記油脂が排出された後に、前記油脂注ぎ口の前記蓋部との接触部分に付着した前記油脂によって前記蓋部を閉めた時に密閉状態が保たれる構造であることを特徴とする請求項１〜４のいずれか１項に記載の油脂の保存方法。
【請求項６】
前記容器の開栓前における前記油脂の溶存窒素濃度が４容量％以上であり、溶存酸素濃度が０．２容量％以下であることを特徴とする請求項１〜５のいずれか１項に記載の油脂の保存方法。
【請求項７】
前記油脂は、抗酸化剤及び乳化剤から選ばれる１種以上を添加した油脂であることを特徴とする請求項１〜６のいずれか１項に記載の油脂の保存方法。
【請求項８】
油脂を充填したプラスチック製容器のヘッドスペース内に不活性ガスを充填し、前記容器を密封してあることを特徴とするプラスチック製容器充填油脂。
【請求項９】
前記容器は、蓋部と油脂注ぎ口部とを有するキャップを備えており、前記蓋部と前記油脂注ぎ口部は、前記容器が開栓されて前記油脂注ぎ口部から前記油脂が排出された後に、前記油脂注ぎ口の前記蓋部との接触部分に付着した前記油脂によって前記蓋部を閉めた時に密閉状態が保たれる構造であることを特徴とする請求項８に記載のプラスチック製容器充填油脂。
【請求項１０】
請求項８又は請求項９に記載のプラスチック製容器充填油脂の製造方法。
【発明の詳細な説明】
【技術分野】
【０００１】
本発明は、油脂の保存方法に関し、特に、プラスチック製容器を用いた油脂の保存方法及びプラスチック製容器充填油脂に関するものである。
【背景技術】
【０００２】
近年、油脂の収容容器として、軽量かつ内部が視認できることから、ポリエチレンテレフタレート（ＰＥＴ）、ポリエチレン（ＰＥ）、ポリ塩化ビニール（ＰＶＣ）等の樹脂材質や、それにフィルムを組み合わせた多層構造のものが多く使用されている。
【０００３】
これらのプラスチック製の容器は柔らかく、従来、用いられてきたアルミ等を除く金属製の容器に比較して変形しやすいという特性を有する。
【０００４】
変形しやすい容器の変形を防止する方法としては、内部圧力を過剰にして容器の変形を防止する方法があり、窒素等を常圧よりも高い圧力で容器のヘッドスペースに注入する方法が一般に知られている。
【０００５】
例えば、飲料が入ったアルミ製のボトル容器は、内部圧力を高くすることによって、容器の変形を防いでいる。
【０００６】
また、一部の炭酸飲料は高分子樹脂製のＰＥＴ容器に収容されており、これも同様に内部圧力を高くすることによって、容器の変形を防止している。
【０００７】
しかしながら、内部圧力を高くすることにより容器の変形を防止する方法は、収容容器の形状が過剰な内部圧力に耐えうる構造・デザインであることが必要となり、容器のデザイン上の制限も生じる。
【０００８】
また、油脂の収容容器に対して上記方法を用いることを考えた場合、内部圧力を過剰にすると、開栓時に、蓋周辺に付着した油脂が内圧によって吹き飛ばされ、開栓した人や周囲に付着してしまうという課題が存在するため、適当な方法ということはできない。
【０００９】
一方、油脂の密閉収容容器においては、開栓時の液ハネを防止するために、一定容量以上のヘッドスペースを確保することとしている。ヘッドスペースが非常に小さい、もしくは無い場合、開栓時に内容物が飛び散ることがあり、開栓した人や周囲に付着してしまうという問題があるほか、油脂は可燃性が高いため、防災上の観点からも問題がある。
【００１０】
また、油脂の場合、温度による容積の変化が水よりも大きいため、通常の飲料や水溶性の調味料と比較して、密閉容器に収容したときの容器内圧の変化が激しいので、一定容量以上のヘッドスペースを確保し、ヘッドスペース中の気体によって油脂の圧力変化を緩衝させることで、油の漏出や容器の変形、破損を防いでいる。
【００１１】
したがって、油脂を収容する場合、容器のヘッドスペースを一定容量以上確保することは重要である。
【００１２】
また、食用油脂については、その食品としてのおいしさを維持することも重要な課題であり、収容方法によって油脂の酸化あるいは劣化による風味の変化を防止することも重要である。
【００１３】
そのための方法として、食用油の香気および風味を改善するために、希ガスまたは希ガス混合物または少なくとも１種の希ガスとキャリヤーガスを含有するガス混合物を貯蔵手段のヘッドスペースに導入する方法が特許文献１に開示されている。
【特許文献１】特開平６−３１９４９７号公報（段落００６０）
【発明の開示】
【発明が解決しようとする課題】
【００１４】
＜開栓前の課題＞
上述したように、油脂を収容する場合、容器のヘッドスペースを一定容量以上確保することは重要であるが、上記のとおり密閉容器に収容したときの容器内圧の変化が激しいことに加え、油脂の特徴として自動酸化が進行するため、油脂中に溶存する酸素が消費されると、ヘッドスペースに存在する酸素を油脂中に永続的に取り込み続けるので、ヘッドスペース中の酸素は次第に少なくなり、容器内は陰圧が増し、ヘッドスペースの容積が減少し、容器が収縮する現象が起こりやすい。
【００１５】
容器が収縮すると収容油脂の液面が上昇するため、充填直後又は酸化による液面の上昇が起きていないものに比較して、内容量が多く見えたり、容器の形状が異なって見えたりする。これにより、同じ商品であるにもかかわらず、内容量が異なって見えたり、容器の形状が異なって見えたりする商品が店頭に陳列されることとなり、消費者はその商品の製造精度を疑い、商品やその製造企業に対する信頼性が著しく失われる。
【００１６】
ヘッドスペースが減少すると、上記のような不都合により、商品価値を損なう要因となることが考えられる。このため、一般的な飲料等に比較して自動酸化が進行しやすい油脂を収容する場合は、ヘッドスペースの容積を維持する技術の開発をする必要性がある。
【００１７】
また、プラスチック製容器は、光を透過するものが多く、光による過酸化脂質の生成も起きやすい。光による脂質の酸化は独特の悪い風味を発生させることが多い。このため、光を透過する容器に脂質を収容した場合の保存期間中の風味の劣化を抑制する技術が望まれている。
【００１８】
また、容器内が過度な陰圧になると、容器の変形が生じる。更に、容器内の過剰な陰圧は外気の流入を招きやすくなり、結果、酸化の要因となる酸素の侵入を生じさせやすい結果となる。
【００１９】
＜開栓時の課題＞
ヘッドスペースの容積が少なくなり、かつ、容器内が陰圧になった状態の密閉容器は、開栓時に急激に内部に大気が流入し、これが油脂の液面を叩く。また、容器が急激に圧力から開放される振動も加わり、液面が急激に波立ち、開栓部から液が跳ね上がる。跳ね上がった油脂は、容器の外部はもとより手や衣服に付着し、快適性を損なう。更に、容器の外部に付着した油脂は、容器を汚すだけでなく、腐食して異臭を放ったり、かびを発生させることもあり、商品価値を著しく減少させる原因となる。特に、油脂が容器に貼着してあるラベル等との間に付着すると上記問題が顕著となる。
【００２０】
＜開栓後の課題＞
油脂は調理等に日常的に使用するものであり、一度、容器を開栓した後は、１〜２ヶ月以内に使い終えることが一般的である。このことから、一度開栓した後は、日常的にキャップの開閉を行うため、圧力変化による容器の変形等はそれほど大きな問題にはならない。
【００２１】
一方、開栓後は未開栓時より早いスピードで酸化が進行し、風味の劣化が生じることからこれを防ぐためには、なるべく外気の流入が起こらない構造のキャップを使用する必要がある。
【００２２】
なお、上記特許文献１には、プラスチック製容器を用いた保存方法についての開示はなく、プラスチック製容器における上記種々の課題が一切、認識されていない。また、開栓後の風味の維持についても一切、考慮されていない。
【００２３】
従って、本発明の目的は、プラスチック製容器を用いた油脂の保存方法であって、長期間保存しても保存期間中に容器内部が陰圧になることを防ぎ、容器の収縮・変形を抑制し、かつ、開栓時の油ハネを抑制し、更に、油脂の風味を良好なまま保存することができる油脂の保存方法を提供することである。また、上記に加え、開栓後においても油脂の風味を良好なまま保存することができる油脂の保存方法を提供することである。また、上記保存方法により保存されたプラスチック製容器充填油脂を提供することである。
【課題を解決するための手段】
【００２４】
本発明は、上記目的を達成するために、プラスチック製容器を用いた油脂の保存方法であって、油脂を充填した前記容器のヘッドスペース内に不活性ガスを充填した後、前記容器を密封することを特徴とする油脂の保存方法を提供する。
【００２５】
本発明は、上記目的を達成するために、油脂を充填したプラスチック製容器のヘッドスペース内に不活性ガスを充填し、前記容器を密封してあることを特徴とするプラスチック製容器充填油脂を提供する。
【発明の効果】
【００２６】
本発明によると、プラスチック製容器を用いた油脂の保存方法であって、長期間保存しても保存期間中に容器内部が陰圧になることを防ぎ、容器の収縮・変形を抑制し、かつ、開栓時の油ハネを抑制し、更に、油脂の風味を良好なまま保存することができる油脂の保存方法を提供することができる。また、上記に加え、開栓後においても油脂の風味を良好なまま保存することができる油脂の保存方法を提供することができる。また、上記保存方法により保存されたプラスチック製容器充填油脂を提供することができる。
【発明を実施するための最良の形態】
【００２７】
〔本発明の実施の形態〕
本発明の実施の形態に係る油脂の保存方法は、プラスチック製容器を用いた油脂の保存方法であって、油脂を充填した当該容器のヘッドスペース内に不活性ガスを充填した後、当該容器を密封することを特徴とする。以下、詳細に説明する。
【００２８】
（プラスチック製容器）
図１は、本発明の実施の形態において使用可能なプラスチック製容器を例示する正面図である。また、図２（ａ）は、本発明の実施の形態において好適に使用可能な密閉構造のキャップを例示する斜視図であり、栓を開いた状態を示す。
【００２９】
プラスチック製容器１は、キャップ２を備え、油脂３が充填された後、ヘッドスペース４を有する状態で密封されている。プラスチック製容器１は、例えば、収容する油の量が１００〜１８００ｇ用のものを使用できる。ヘッドスペース４は、開栓時の液ハネを防止することが可能なように一定容量以上を確保する。例えば、収容する油の量（ｇ）に対するヘッドスペース４の容量（ｍｌ）の割合が２〜１０％となるようにする。
【００３０】
プラスチック製容器１は、図１に示されるように、ヘッドスペース４の容器断面径が油脂３の充填された部分の容器断面径よりも小であるであるものが機能的にもデザイン的にも好ましい。いわゆるボトル形状の容器を好適に使用できる。
【００３１】
プラスチック製容器１は、例えば、ポリエチレンテレフタレート（ＰＥＴ）、ポリエチレン（ＰＥ）、ポリ塩化ビニール（ＰＶＣ）等の樹脂が材料として使用される。また、これにフィルムを組み合わせた多層構造のものとしてもよい。
【００３２】
プラスチック容器は、容器の形態を保つために、ブロー成形したプラスチック製容器であることが好ましい。また、廃棄時の容量を減らせるように、押圧等により変形可能であることがより好ましい。
【００３３】
（キャップ）
図２（ａ）に示されるように、キャップ２Ａは、蓋部２１Ａと油脂注ぎ口部２２Ａを備えており、蓋部２１Ａと油脂注ぎ口部２２Ａは、プラスチック製容器１が開栓されて油脂注ぎ口部２２Ａから油脂３が排出された後に、油脂注ぎ口２２Ａの蓋部２１Ａとの接触部分に付着した油脂３によって蓋部２１Ａを閉めた時に密閉状態が保たれる構造であることが好ましい。これにより、開栓後においても油脂の風味を良好なまま保存することができる。
【００３４】
蓋部２１Ａは、内面に円形状の突起部２３Ａを有し、当該突起部２３Ａが蓋部２１Ａを閉めた時に油脂注ぎ口２２Ａと接触して、当該接触部分に付着した油脂３によって密閉状態が保たれる構造であることが好ましい。油脂注ぎ口部２２Ａの一部が浅く欠けた切欠部２４Ａは、設けても設けなくてもよい。
【００３５】
（不活性ガス）
不活性ガスは、プラスチック製容器１のヘッドスペース４内の酸素濃度が５容量％以下になるように充填されることが収容油脂に吸収される酸素量を少しでも抑制する観点から好ましく、４容量％以下がより好ましく、３容量％以下がさらに好ましい。
【００３６】
かかる不活性ガスの充填方法としては、容器に油脂を充填して、不活性ガスをノズルから容器内に吹き込みながら打栓し密封する方法、もしくは油脂の充填後に不活性ガスをノズルから容器内に吹き込み、速やかにキャップを打栓し密封する方法が挙げられる。この時、容器に油脂を充填する前に、不活性ガスを吹き込み、空気と不活性ガスを置換しておくことが好ましい。また、充填する油脂は、油脂の最終製造工程において脱臭を行うため、製造工程の直後には酸素ガスを含まないが、製造直後に不活性ガスを溶存させ、さらに、油脂の製造工程以降から充填まで、空気に接触しないことが好ましい。
【００３７】
不活性ガスは、アルゴンガス、ヘリウムガス、窒素ガス及び炭酸ガスから選ばれる１種以上であることが好ましい。汎用性およびコストの観点から、窒素ガスであることが特に好ましい。
【００３８】
プラスチック製容器１の開栓前における油脂３の溶存窒素濃度が４容量％以上であり、溶存酸素濃度が０．２容量％以下であることが油脂の特徴として自動酸化を抑え、ヘッドスペースの容量変化を押える観点から好ましい。より好ましくは、溶存窒素濃度が５容量％以上であり、溶存酸素濃度が０．１５容量％以下である。
【００３９】
（油脂）
本実施の形態において使用できる油脂の種類は、特に限定されない。例えば、大豆油、菜種油、高オレイン酸菜種油、コーン油、ゴマ油、ゴマサラダ油、シソ油、亜麻仁油、落花生油、紅花油、高オレイン酸紅花油、ひまわり油、高オレイン酸ひまわり油、綿実油、ブドウ種子油、マカデミアナッツ油、ヘーゼルナッツ油、カボチャ種子油、クルミ油、椿油、茶実油、エゴマ油、ボラージ油、オリーブ油、米油、米糠油、小麦胚芽油、パーム油、パーム核油、ヤシ油、カカオ脂、牛脂、ラード、鶏脂、乳脂、魚油、アザラシ油、藻類油、品種改良によって低飽和化されたこれらの油脂およびこれらの混合油脂、エステル交換油脂、水素添加油脂、分別油脂等があげられる。
【００４０】
また、Ｌ−アスコルビン酸やＬ−アスコルビン酸誘導体、ビタミンＥ、トコフェロール類、アスコルビン酸脂肪酸エステル、リグナン、コエンザイムＱ、リン脂質、オリザノール、植物ステロール、ジアシルグリセロール、カテキン類、及びポリフェノール類、茶抽出物などの抗酸化剤や乳化剤などのその他の添加物を添加しても良い。
【００４１】
乳化剤としては、例えば、ポリグリセリン脂肪酸エステル、ショ糖脂肪酸エステル、ソルビタン脂肪酸エステル、ポリソルベート、縮合リシノレイン脂肪酸エステル、モノグリセリン脂肪酸エステル等の合成乳化剤や、大豆レシチン、卵黄レシチン、大豆リゾレシチン、卵黄リゾレシチン、酵素処理卵黄、サポニン、植物ステロール類、乳脂肪球皮膜等の合成乳化剤でない乳化剤が挙げられる。
【００４２】
抗酸化剤及び乳化剤から選ばれる１種以上を添加した油脂であることが好ましい。
【００４３】
（プラスチック製容器充填油脂）
上記本発明の実施の形態に係る保存方法を実施することにより、当該保存方法により保存されたプラスチック製容器充填油脂を製造することができる。
【００４４】
〔本発明の実施の形態の効果〕
本発明の実施の形態によれば、プラスチック製容器のヘッドスペースに不活性ガスを充填して密封しているため、プラスチック製容器を用いた油脂の保存方法であって、長期間（１年以上、特に１．５年〜２年以上）保存しても保存期間中に容器内部が過度な陰圧になることを防ぎ、容器の収縮・変形を抑制し、かつ、開栓時の油ハネを抑制し、更に、油脂の風味を良好なまま保存することができる油脂の保存方法及びプラスチック製容器充填油脂を提供することができる。
【００４５】
また、上記に加え、開栓前の良好な状態を維持できるように密封可能な構造のキャップを使用しているため、開栓後においても油脂の風味を良好なまま保存することができる油脂の保存方法及びプラスチック製容器充填油脂を提供することができる。
【００４６】
また、本発明の検討過程において、未開栓時の酸化ダメージは開栓後の酸化スピードに大きく影響し、風味の悪化を加速させることが分かったので、プラスチック製容器のヘッドスペースに不活性ガスを充填して密封することと、密封可能な構造のキャップを使用することを併せて実施することで、開栓前の酸化が抑制され、かつ、開栓後の酸化を抑制することに優れた油脂の保存方法及びプラスチック製容器充填油脂を提供することができる。
【００４７】
次に実施例により本発明を説明するが、本発明はこれらの実施例により限定されるものではない。
【実施例】
【００４８】
（実施例１〜３、比較例１〜３）
図１に示すブロー成形によるプラスチック製容器１（容量４００ｇ）を用いて、表１に示すように、図２（ａ）に示す構造のキャップ２Ａと図２（ｂ）に示す構造のキャップ２Ｂを備えるものをそれぞれ３０本用意した（実施例１〜２、比較例１〜２）。プラスチック製容器１は、ポリエチレンテレフタレート（ＰＥＴ）製のものを使用した。油脂３は、日清オイリオグループ（株）製の菜種油（ハイオレイック・ローリノレン種、油脂中の溶存ガス濃度：酸素０．１１容量％、窒素５．４０容量％）４００ｇをプラスチック製容器１に充填した。ヘッドスペース４の容量は３０．６ｍｌとした。また、実施例１〜２は、油を充填後、不活性ガス（窒素ガス）を充填して、窒素ガスを容器内に吹き込みながら直ちに打栓して密封した。
【００４９】
上記の実施例１及び比較例１について、油脂の種類を日清オイリオグループ（株）製の菜種油（ハイオレイック・ローリノレン種）から、日清オイリオグループ（株）製のべに花油に変えて、実施例３及び比較例３を製造した。
【００５０】
図２（ａ）は、開栓後に密閉構造であるキャップを示す斜視図であり、栓を開いた状態を示す。キャップ２Ａは、蓋部２１Ａと油脂注ぎ口部２２Ａを備えている。さらに、蓋部２１Ａには突起部２３Ａが備えてあり、プラスチック製容器１が開栓されて油脂注ぎ口部２２Ａから油脂３が排出された後、蓋部２１Ａを閉めた時に注ぎ口部２２Ａと突起部２３Ａが接触する構造となっている。また、油脂注ぎ口部２２Ａは、一部が浅く欠けた切欠部２４Ａを有している。切欠部２４Ａは、注ぎ口の外周部に溜まった油脂が容器内部に戻ることのできる構造ではないが、切欠部が浅い事から、蓋を閉めた際に、突起部２３Ａが油脂注ぎ口部２２Ａの切欠部が無い部分まで内側に入り込む構造となり、突起部２３Ａと注ぎ口部２２Ａが全体的に接触する。さらに、接触部分に付着した油脂３がシール剤の役割を果たし、より一層密閉状態が高く保たれる構造となっている。
【００５１】
図２（ｂ）は、開栓後に密閉構造でないキャップを示す斜視図であり、栓を開いた状態を示す。キャップ２Ｂは、蓋部２１Ｂと油脂注ぎ口部２２Ｂを備えている。蓋部２１Ｂと油脂注ぎ口部２２Ｂとは、プラスチック製容器１が開栓されて油脂注ぎ口部２２Ｂから油脂３が排出された後、蓋部２１Ｂを閉めた時に接触しない構造となっている。また、油脂注ぎ口部２２Ｂは、その外周部に油脂が溜まっても油脂が容器内部に戻れる構造とするべく一部が深く欠けた切欠部２４Ｂを有しているため、仮に、蓋部２１Ｂを閉めた時に蓋部２１Ｂと油脂注ぎ口部２２Ｂが接触する構造となっていても接触部分に付着した油脂３によって密閉状態が保たれる構造とはならない。
【００５２】
実施例１〜２及び比較例１〜２について、密封時のヘッドスペースの酸素濃度（％）及び平衡時（常温保存開始１日後）のヘッドスペースの酸素濃度（％）、並びに密封時の油脂中の溶存酸素ガス濃度と溶存窒素ガス濃度（ｖｏｌ．％）を以下の方法により測定し、測定結果を表１に示した。なお、平衡時の溶存酸素濃度及び溶存窒素濃度の割合は、ヘッドスペース中の酸素濃度と窒素濃度の割合と同じと想定される。
【００５３】
ヘッドスペースの酸素濃度の測定方法：
測定対象となる容器（収容油脂とヘッドスペースから成る）について、蓋部上方から測定対象ガス吸引用チューブに接続された吸引針を差し込み、ここから採取したヘッドスペースガスをセンサー部に送り込み、これを測定した。
測定に用いた機器は、飯島電子工業株式会社製のＯＸＹＧＥＮ  ＭＥＴＥＲ  ＲＯ−１０２であり、一度に吸引するガス量は３ｍｌとし、これを３回繰り返し、３回目に吸引したガスを測定に用いた。
【００５４】
油脂中の溶存酸素ガス濃度と溶存窒素ガス濃度の測定方法：
油脂の各サンプルを空気に触れないように、サンプリングし、ガスクロマトグラフィー法にて溶存酸素及び溶存窒素ガスを分析した。
［測定条件］
測定機器：（メーカー、型番）島津製作所  ＧＣ−１４
キャリアーガス：ヘリウム
カラム：Molecular Sieve 5A 、内径3mm×3m、SUSカラム
検出器：TCD
計算方法：２本分の分析を実施し、平均値を算出
なお、標準ガスはサンプル分析前に測定を行い、濃度算出のための補正係数を求めた。
【００５５】
【表１】
2010126608.tif 000002
【００５６】
実施例１〜２及び比較例１〜２について、開栓時の液ハネ、過酸化物価（ＰＯＶ）、及び風味を以下の方法により評価・測定した結果を表２に示す。いずれも開栓前は、２４ヶ月相当の保存期間になるまで促進保存試験（６０℃、暗所保存）を行った。また、１２ヶ月相当保存したものを、開栓し、２ヶ月相当の保存期間になるまで促進保存試験（４０℃、暗所保存）を行った。
【００５７】
開栓時の液ハネの評価方法：
実施例１〜２及び比較例１〜２を各１０本ずつ、プルリングを引き抜くことにより開栓した。この時に、液ハネが生じた割合を液ハネ率とした。また、液ハネ量（容器外部や、通常、手に付着すると考えられる箇所に飛び出した油脂量）を測定し、平均したものを平均液ハネ量とした。各測定値からグラフを作成し、保存時のヘッドスペース容量から液ハネ率および液ハネ量を算出した。
【００５８】
過酸化物価（ＰＯＶ）の測定方法：
基準油脂分析法（参2.4  過酸化物価−クロロホルム法−）による。
【００５９】
風味の評価方法：
サンプルを口に含み、風味を下記の５段階で評価した。評価は食用油専門パネル１０名で行い、平均値を算出した。
５：無味無臭で極めて良好なもの
４：原料特有のにおいがあるが良好なもの
３：戻り臭があるが賞味可能なもの
２：戻り臭が感じられ、食用として限界のもの
１：戻り臭が強く、食用として好ましくないもの
【００６０】
【表２】
2010126608.tif 000003
【００６１】
表２より、実施例では比較例に比べて、開栓時の液ハネが著しく改善されることが判る。
【００６２】
また、過酸化物価（ＰＯＶ）の測定結果より、実施例では比較例に比べて、酸化劣化しにくく、保存安定性に優れていることが判る。また、開栓後に密封状態が保てたとしても、開栓前の劣化が進んでいると、劣化を抑制できないことが判る（比較例１）。
【００６３】
また、風味は、実施例では比較例に比べて、風味の劣化が進まないことが判る。また、開栓後に密閉状態が保てたとしても、開栓前の劣化が進んでいると、劣化を抑制できないことが判る（比較例１）。
【００６４】
（保存条件を変化させた場合の評価）
上記の実施例１及び比較例１について、保存条件を２０℃、暗所から、４０℃、暗所に変えた場合と、２０℃、明所（１０００ｌｕｘの蛍光灯照射）に変えた場合の過酸化物価（ＰＯＶ）を測定した。それぞれの保存条件において、（ａ）４ヶ月相当保存後に開栓した場合、（ｂ）８ヶ月相当保存後に開栓した場合、（ｃ）１２ヶ月相当保存後に開栓した場合の過酸化物価（ＰＯＶ）を測定した。測定結果を図３及び図４に示した。図３は、４０℃、暗所で保存した場合の測定結果を示すグラフであり、図４は、２０℃、明所（１０００ｌｕｘの蛍光灯照射）で保存した場合の測定結果を示すグラフである。
【００６５】
図３より、高温保存条件下では、実施例では比較例に比べて、保存期間が長くなればなるほど、酸化劣化しにくく、保存安定性に優れ、その効果が顕著となることが判る。また、図４より、光照射保存条件下では、実施例では比較例に比べて、保存期間が短いときから効果が顕著に現われ、酸化劣化しにくく、保存安定性に優れていることが判る。
【００６６】
（油脂の種類を変化させた場合の評価）
実施例３及び比較例３を、６０℃暗所で１２ヶ月相当保存後に開栓した。開栓後、４０℃暗所でさらに２ヶ月相当保存を行った場合の過酸化物価（ＰＯＶ）を測定した。測定結果を図５に示した。
【００６７】
図５より、べに花油を用いた場合においても、実施例では比較例に比べて、酸化劣化しにくく、保存安定性に優れていることが判る。特に、長期保存開栓後に、その効果が顕著に現われる。
【００６８】
（容器収縮・変形の抑制効果の評価）
上記の実施例１及び３、比較例１及び３について、保存条件が６０℃、暗所の場合と、４０℃、暗所の場合と、２０℃、明所（１０００ｌｕｘの蛍光灯照射）の場合のヘッドスペースの容量変化を測定した。ヘッドスペースの容量は、ヘッドスペース中の酸素濃度を測定し、吸収された酸素量から算出した。
【００６９】
それぞれの保存条件において、開始時（充填時）、４ヶ月相当保存時、８ヶ月相当保存後、１２ヶ月相当保存後のヘッドスペースの容量を測定した。
【００７０】
開始時（充填時）の酸素濃度は、順に、実施例１は４．４％、比較例１は４．５％、実施例３は４．０％、比較例３は４．３％であった。
【００７１】
測定結果を表３〜５に示す。容器の収縮によるヘッドスペースの容量の減少度合を開始時（充填時）のヘッドスペースの容量を１００．０として数値化した。
【００７２】
【表３】
2010126608.tif 000004
【００７３】
【表４】
2010126608.tif 000005
【００７４】
【表５】
2010126608.tif 000006
【００７５】
表３〜５より、窒素充填を行った各実施例１は、高温条件や光照射条件下においても、ヘッドスペースの減少率が低く、１年相当の保存を行った場合においても、元の容量に対して、９５％以上の容積を保つことがわかった。それに比較して、窒素充填を行わなかった場合（各比較例１）では、ヘッドスペース容量の減少が著しく生じ、４ヶ月〜１年相当の保存を行った場合に８０％前後まで容量が減少することがわかった。
【００７６】
なお、外観上、容器の収縮によるヘッドスペースの容量の減少がどの程度まで達すると、減少が生じていない場合と比較して、差異や違和感を認識するのかを明らかにするために、以下の通り、実験を行なった。
【００７７】
（認識率の実験）
上記実施例１について、日清オイリオグループ（株）製の菜種油（ハイオレイック・ローリノレン種）及び日清オイリオグループ（株）製のべに花油の計２種の供試品を用意した。
【００７８】
２種の供試品について、ヘッドスペースの容量が１００％（容器未収縮）から７０％相当まで容器収縮により減少したものまで、５％刻みで変化したサンプルをそれぞれ作製した。
【００７９】
評価方法：各サンプル（１００、９５、９０、８５、８０、７５、７０％）をそれぞれ、１００％（容器未収縮）のサンプルと並べ、事前の情報を全く与えずに、外観上の違いの有無を１１名のパネラーに聞いた。二つのサンプルを比較して液面や容器の形状等、外観上の違いを感じた場合、両者の違いを認識したものと判断した。さらに、認識した割合を認識率として百分率で算出した。
【００８０】
図６は、上記で算出したヘッドスペースの容量減少による違いの認識率を示すグラフである。
【００８１】
図６より、以下のことが判る。
いずれの油種もヘッドスペース容量が９５％であれば外観上の差異は認識されず、９０％で、僅かに認識される程度であった。
いずれの油種においてもヘッドスペース容量が８５％まで減少すると認識率が著しく上昇し、その後は、ヘッドスペース容量が少なくなるにつれて、認識率も上昇した。
ヘッドスペース容量が７５〜７０％程度になると、殆どのパネラーに認識されていた。
【００８２】
以上の認識率の実験も踏まえて、上記表３〜５を見ると、以下のことが判る。
ヘッドスペースへの窒素充填を行った場合（各実施例１）、ヘッドスペース容量の変化は少なく、１年相当の保存を行っても、９５％以上の容量を保つので、認識率の実験結果から、ヘッドスペース容量の減少が生じていないサンプルと比較しても、消費者が違和感を生じることは殆ど無いと考えられる。
一方、ヘッドスペースへの窒素充填を行わなかった場合（各比較例１）、ヘッドスペース容量の減少が生じ、４ヶ月〜１年相当の保存で８０％前後まで容量が減少するので、認識率の実験結果から、ヘッドスペース容量の減少が生じていないものと同時に消費者が比較した場合は、その外観の違いに違和感を覚える確率が高いと考えられる。
【００８３】
（実施例４〜５）
ブロー成形によるプラスチック製容器（容量１０００ｇ）の中の空気を窒素ガスで置換した。さらに、日清オイリオグループ（株）製の菜種油（キャノーラ油）を充填し、直ちに窒素ガスをヘッドスペースに注入し、図２（ａ）に示す構造のキャップ２Ａを打栓して、密封した（実施例４）。
【００８４】
ブロー成形によるプラスチック製容器（容量１３００ｇ）の中の空気を窒素ガスで置換した。さらに、日清オイリオグループ（株）製の菜種油（キャノーラ油）を充填し、直ちに窒素ガスをヘッドスペースに注入し、図２（ａ）に示す構造のキャップ２Ａを打栓して、密封した（実施例５）。
【００８５】
実施例４〜５のプラスチック製容器充填油脂を、４０℃暗所で１年相当保存したが、容器の変形は認められなかった。その後、開栓したが、油ハネは認められず、さらに常温暗所で２ヶ月保存したが、風味は良好であった。
【図面の簡単な説明】
【００８６】
【図１】本発明の実施の形態において使用可能なプラスチック製容器を例示する正面図である。
【図２】（ａ）は本発明の実施の形態において好適に使用可能な密閉構造のキャップを例示する斜視図であり、（ｂ）は密閉構造でないキャップを示す斜視図である。
【図３】４０℃、暗所で保存した場合の測定結果を示すグラフである。
【図４】２０℃、明所（１０００ｌｕｘの蛍光灯照射）で保存した場合の測定結果を示すグラフである。
【図５】油脂の種類を変化させた場合の測定結果を示すグラフである。
【図６】ヘッドスペースの容量減少による違いの認識率を示すグラフである。
【図１】
2010126608.tif 000007
【図２】
2010126608.tif 000008
【図３】
2010126608.tif 000009
【図４】
2010126608.tif 000010
【図５】
2010126608.tif 000011
【図６】
2010126608.tif 000012